(57)【要約】【課題】  資源ゴミを入れたレジ袋を安定して吊り下げることができる分別リサイクルホルダーを提供する。【解決手段】棒材によってほぼ方形枠状に形成された一対のフレーム２と、一対のフレーム２にわたって着脱自在に装着されて前面および後面を覆う一対の遮蔽板３と、から構成される。そして、各フレーム２の上辺部２１には、レジ袋Ｂを吊り下げるための複数個の凸部２１ａが形成されている。このため、レジ袋Ｂを左右のフレーム２の凸部２ａにわたって掛け回して吊り下げることができ、各レジ袋Ｂに資源ゴミを入れて保管することができる。【選択図】  図５
2006168985.tif 000002
【特許請求の範囲】
【請求項１】
棒材によってほぼ方形枠状に形成された一対のフレームと、一対のフレームにわたって着脱自在に装着されて前面および後面を覆う一対の遮蔽板と、から構成され、前記各フレームの上辺部には、レジ袋を吊り下げるための複数個の凸部が形成されていることを特徴とする分別リサイクルホルダー。
【請求項２】
前記各フレームの下辺部に、上辺部に形成された複数個の凸部と係止可能な係止部が形成されていることを特徴とする請求項１記載の分別リサイクルホルダー。
【請求項３】
前記各フレームの左右の側辺部に、各遮蔽板の内面を支持する支持部がそれぞれ形成されていることを特徴とする請求項１または２記載の分別リサイクルホルダー。
【請求項４】
前記各遮蔽板が、上板と下板とから形成されていることを特徴とする請求項１乃至３のいずれかに記載の分別リサイクルホルダー。
【発明の詳細な説明】
【技術分野】
【０００１】
この発明は、家庭において発生する資源ゴミをリサイクルするに際して、レジ袋を利用して資源ゴミ毎に分別して一時的に保管することのできる分別リサイクルホルダーに関するものである。
【背景技術】
【０００２】
従来より、ペットボトル、アルミまたはスチール缶、食品トレー、牛乳パック、ビンなどは、資源ゴミとしてリサイクルされている。そして、これらの資源ゴミは、各資源ゴミ毎に地方自治体が定める収集日にゴミステーションに廃棄するようにしている。このため、該当する資源ゴミの収集日が到来するまでの間、家庭内において各資源ゴミを保管する必要がある。資源ゴミを保管するには、例えば、スーパーマーケットなどにおいて、品物を購入した際にレジにて手渡されるプラスチックフィルム製袋（以下、レジ袋という。）に入れておくことが考えられる。
【０００３】
しかしながら、レジ袋に資源ゴミをそれぞれ入れて台所にて単に保管する方式では、分別する資源ゴミの種類が多くなると、台所の一定のスペースを各資源ゴミを入れたレジ袋が占有することになり、見苦しいばかりか、台所が手狭になるとともに、食器や購入した商品の出し入れに支障が発生するという問題がある。
【０００４】
このため、袋掛け枠にレジ袋を吊り下げ、吊り下げられたレジ袋に資源ゴミを入れて保管する屑入れが提案されている（例えば、特許文献１参照）。
【特許文献１】特開２００１−２４０２０８号公報
【発明の開示】
【発明が解決しようとする課題】
【０００５】
ところで、前述したレジ袋を懸吊可能な袋掛け枠を有する屑入れにあっては、一対の支柱の上下端にプラスチック製袋掛け枠の支柱装着部および台座の支柱装着部をそれぞれ装着して形成され、袋掛け枠は支柱に対して片持ち支持されている。このため、レジ袋を袋掛け枠に吊り下げて資源ゴミを入れた場合、その重量が袋掛け枠に作用する。したがって、例えば、資源ゴミがビンの場合に、袋掛け枠に対するレジ袋の吊下吊位置およびその重量によっては、袋掛け枠が撓んだり、捩じられたりして変形し、強度的に不安定となる。さらには、重量による曲げモーメントが袋掛け枠の支柱装着部に作用し、屑入れが転倒するおそれもある。
【０００６】
本発明は、このような問題点に鑑みてなされたもので、資源ゴミを入れたレジ袋を安定して吊り下げることができる分別リサイクルホルダーを提供するものである。
【課題を解決するための手段】
【０００７】
本発明は、棒材によってほぼ方形枠状に形成された一対のフレームと、一対のフレームにわたって着脱自在に装着されて前面および後面を覆う一対の遮蔽板と、から構成され、前記各フレームの上辺部には、レジ袋を吊り下げるための複数個の凸部が形成されていることを特徴とするものである。
【０００８】
本発明によれば、一対のフレームおよびこれらのフレームにわたって装着されて前面および後面を覆う遮蔽板により、互いに倒れ方向の移動を規制することから、一対のフレームを左右方向に一定間隔をおいて垂直に立設した状態に安定して維持することができる。
【０００９】
したがって、左右のフレームの凸部にレジ袋の左右の手提げ部をそれぞれ掛け回してレジ袋を吊り下げ、レジ袋に資源ゴミを入れた場合であっても、一対のフレームを垂直に立設した状態に安定して維持することができる。また、一対のフレームの前面および後面は、遮蔽板によって遮蔽されるため、レジ袋およびレジ袋に入れられた資源ゴミを目隠しすることができる。
【００１０】
本発明において、前記各フレームの下辺部に、上辺部に形成された複数個の凸部と係止可能な係止部が形成されていると、一の分別リサイクルホルダーにおける各フレームの上辺部に、他の分別リサイクルホルダーにおける各フレームの下辺部をそれぞれ重ねた場合、上辺部の凸部に下辺部の係止部が係止されるため、一の分別リサイクルホルダーに対して他の分別リサイクルホルダーを、その脱落を確実に防止して上下に積み重ねることができる。
【００１１】
本発明において、前記各フレームの左右の側辺部に、各遮蔽板の内面を支持する支持部がそれぞれ形成されていると、各遮蔽板の内面に左右のフレームにおける側辺部に形成された支持部がそれぞれ接触し、遮蔽板に対する各フレームの回転が規制される。このため、分別リサイクルホルダーを上方から見た場合、一対のフレームおよび一対の遮蔽板は、矩形の各辺を形成するように、一対のフレームおよび一対の遮蔽板は互いに直交状態に保持される。
【００１２】
本発明において、前記各遮蔽板が、上板と下板とから形成されていると、分別リサイクルホルダーを上下に積み重ねた場合において、上方の分別リサイクルホルダーにおける前面側遮蔽板の下板を取り外すことによって開口を形成することができ、この開口部を投入口として、下方の分別リサイクルホルダーに吊り下げられたレジ袋に資源ゴミを投入することができる。
【発明の効果】
【００１３】
本発明によれば、資源ゴミを入れたレジ袋を安定して吊り下げることができる。
【発明を実施するための最良の形態】
【００１４】
以下、本発明の実施の形態を図面に基づいて説明する。
【００１５】
図１および図２には、本発明の分別リサイクルホルダー１の一実施形態が示されている。
【００１６】
この分別リサイクルホルダー１は、略方形枠状に形成された左右一対のフレーム２と、左右一対のフレーム２にわたって装着された一対の遮蔽板３と、から構成されている。
【００１７】
各フレーム２は、棒材、例えば、直径５ｍｍの鋼棒を順に折り曲げて略方形枠状に形成した後、その表面をプラスチックで被覆して形成されている。そして、フレーム２の上辺部２１には、複数個の凸部２１ａが設定間隔をおいて形成されているとともに、下辺部２２には、上辺部２１に形成された複数個の凸部２１ａに対応して、略台形状に折り曲げられた係止部２２ａがフレーム２を形成する棒材の中心を通る平面に対して直交する方向に形成されている。このため、一方のフレーム２の上辺部２１に他方のフレーム２の下辺部２２を重ねた場合、下辺部２２に形成された係止部２２ａが、上辺部２１に形成された凸部２１ａに交差状態で係止されるように設定されている。また、左右の側辺部２３には、コ字状に折り曲げられた支持部２３ａがフレーム２を形成する棒材の中心を通る平面に対して直交する方向であって、前述した係止部２２ａの形成方向と同方向にそれぞれ形成されている。この支持部２３ａは、後述する各遮蔽板３の正面板４１の背面に接触し、遮蔽板３に対してフレーム２が回転するのを規制する。
【００１８】
各遮蔽板３は、左右一対のフレーム２による前面おおよび後面を遮蔽するものであり、上板４および該上板４よりも高さがやや低く形成された下板５によって構成されている。そして、上板４および下板５は、いずれもプラスチックによって正面板４１，５１の周縁部に周壁４２，５２を立設した浅い箱状に形成されている。また、上板４および下板５における各正面板４１，５１の背面側左右端縁部には、フレーム２を形成する棒材の直径に対応して、各フレーム２の側辺部２３をそれぞれ挾持可能な挾持部４１ａ，５１ａが間欠的に形成されている他、その上下の周壁４２，５２には、各フレーム２の側辺部２３を嵌入可能な半円状の切欠部４２ａ，５２ａが形成されている（図３参照）。
【００１９】
次に、このように構成された分別リサイクルホルダー１の組立要領について、図４により説明する。
【００２０】
まず、床面上に遮蔽板３を構成する上板４および下板５を並べて配置し、それらの各挾持部４１ａ，５１ａに各フレーム２の一方の側辺部２３をそれぞれ強制的に嵌め込む。この際、上板４における正面板４１の背面に各フレーム２の側辺部２３に形成された支持部２３ａが接触するように、フレーム２の向きを調整する。
【００２１】
一対のフレーム２を遮蔽板３の上板４および下板５の各挾持部４１ａ，５１ａに装着したならば、遮蔽板３が装着された一対のフレーム２を持ち上げて上下反転し、同様に、床面上に並べて配置された上板４および下板５の各挾持部４１ａ，５１ａに各フレーム２の他方の側辺部２３をそれぞれ強制的に嵌め込むことにより、分別リサイクルホルダー１を組み立てることができる。
【００２２】
このようにして組み立てられた分別リサイクルホルダー１は、一対のフレーム２の前面および後面に、遮蔽板３を構成する上板４および下板５がそれぞれ装着されていることにより、各フレーム２および遮蔽板３の上板４および下板５の倒れが規制されるとともに、上板４および下板５の各正面板４１，５１の背面に各フレーム２における各側辺部２３の支持部２３ａがそれぞれ接触して、フレーム２の、各正面板４１，５１の挾持部４１ａ，５１ａ回りの回転が規制される。このため、分別リサイクルホルダー１を上方から見た場合、一対のフレーム２および一対の遮蔽板３は、矩形の各辺を形成するように、互いに直交状態に保持されている。また、一対のフレーム２にわたって装着された遮蔽板３によって分別リサイクルホルダー１の内部を目隠しすることができる。さらに、一対のフレーム２と一対の遮蔽板３との少ない部品から分別リサイクルホルダー１を形成することができるため、安価に製造することができる。
【００２３】
一方、分別リサイクルホルダー１が組み立てられたならば、レジ袋Ｂを取り出し、その一方の手提げ部ｂ１を一方のフレーム２の上辺部２１に形成された複数個の凸部２１ａにわたって掛け回した後、同様に、他方の手提げ部ｂ１を他方のフレーム２の上辺部２１に形成された複数個の凸部２１ａにわたって掛け回して吊り下げる（図５参照）。
【００２４】
なお、複数の資源ゴミを分別収集する場合は、図６に示すように、掛け回す凸部２１ａの数を調整しつつ凸部２１ａに複数枚のレジ袋Ｂを吊り下げればよい。
【００２５】
この後、家庭で発生した資源ゴミを各資源ゴミ毎に対応するレジ袋Ｂに投棄して収集日が到来するまで保管すればよい。
【００２６】
ここで、レジ袋Ｂに資源ゴミを投棄し、その重量が作用したとしても、前述したように、一対のフレーム２および一対の遮蔽板３は、互いに倒れが規制されるとともに、遮蔽板３に対する各フレーム２の回転が規制されて、互いに直交状態に保持されているため、撓
みや捩れなどの変形を発生させることなく鉛直状態に安定して維持することができる。
【００２７】
また、地方自治体によっては、資源ゴミをより細かく分別し、各資源ゴミ毎に収集している場合もある。このように資源ゴミを多種類に分別する場合は、分別リサイクルホルダー１を２個用意し、図７に示すように、一方の分別リサイクルホルダー１の上に他の分別リサイクルホルダー１を積み重ねればよい。この際、下方の分別リサイクルホルダー１を構成するフレーム２の上辺部２１に形成された凸部２１ａに、上方の分別リサイクルホルダー１を構成するフレーム２の下辺部２２に形成された係止部２２ａが交差状態で係止されるため、下方の分別リサイクルホルダー１からの脱落を確実に防止して、その上に新たな分別リサイクルホルダー１を積み重ねることができる。
【００２８】
このように２個の分別リサイクルホルダー１を上下に積み重ねた場合、下方の分別リサイクルホルダー１に取り付けられたレジ袋Ｂに資源ゴミを投棄する際、分別リサイクルホルダー１の側方側から行う必要がある。しかしながら、側方からの資源ゴミの投棄が困難な場合には、上方の分別リサイクルホルダー１の前面に装着された遮蔽板３のうち、下板５を一対のフレーム２から取り外すことによって前面に開口を形成し、この開口を下方の分別リサイクルホルダー１に取り付けられたレジ袋Ｂへの資源ゴミの投入口として利用すればよい。この場合、下板５を離脱させても、上方のフレーム２は下方のフレーム２に対して凸部２１ａに係止部２２ａが交差状態で係止されているため、互いに垂直状態を保持しており、フレーム２が倒れることはない。
【産業上の利用可能性】
【００２９】
以上のように本発明によれば、家庭内において、資源ゴミを安定して保管することができることから、資源ゴミのリサイクルに寄与することができる。
【図面の簡単な説明】
【００３０】
【図１】本発明の分別リサイクルホルダーの一実施形態を示す斜視図である。
【図２】図１の分別リサイクルホルダーの縦断面図である。
【図３】遮蔽板を構成する上板および下板の挾持部および切欠部を示す斜視図である。
【図４】図１の分別リサイクルホルダーの分解斜視図である。
【図５】図１の分別リサイクルホルダーの使用状態を説明する斜視図である。
【図６】図１の分別リサイクルホルダーのもう一つの使用状態を説明する斜視図である。
【図７】図１の分別リサイクルホルダーを上下に積み重ねて使用する場合を説明する斜視図である。
【符号の説明】
【００３１】
１  分別リサイクルホルダー
２  フレーム
２１  上辺部
２１ａ  凸部
２２  下辺部
２２ａ  係止部
２３  側辺部
２３ａ  支持部
３  遮蔽板
４  上板
５  下板
４１，５１  正面板
４１ａ，５１ａ  挾持部
【図１】
2006168985.tif 000003
【図２】
2006168985.tif 000004
【図３】
2006168985.tif 000005
【図４】
2006168985.tif 000006
【図５】
2006168985.tif 000007
【図６】
2006168985.tif 000008
【図７】
2006168985.tif 000009